(57)【要約】【課題】家庭で使用される除湿機の運転により除湿された水をためる貯水タンクの形状を工夫することで、貯水タンクにたまった水を利用しやすくことを目的とする。【解決手段】除湿された水分をためて利用することを前提とした貯水タンク１を備え、貯水タンク１は除湿機の運転により除湿された水分を取り込むための開口部２と除湿された水分を排水するための伸縮する排水用開口部３と任意の方向に回転する取っ手４とを備え、貯水タンク１の形状を取っ手４側の底が深くなるようにすることで持ちやすく排水を利用しやすい貯水タンク１を備えた除湿機が得られる。【選択図】図１
2007203137.tif 000002
【特許請求の範囲】
【請求項１】
除湿された水分をためて利用することを前提とした貯水タンクを備え、前記貯水タンクは除湿機の運転により除湿された水分を取り込むための開口部と除湿された水分を排水するための排水用開口部と手で持つための取っ手とを備えたことを特徴とする除湿機。
【請求項２】
取っ手が垂直になっていることを特徴とした請求項１記載の除湿機。
【請求項３】
取っ手が斜めに傾いていることを特徴とした請求項１記載の除湿機。
【請求項４】
取っ手が回転することを特徴とした請求項１記載の除湿機。
【請求項５】
取っ手が着脱できることを特徴とした請求項１、２、３または４記載の除湿機。
【請求項６】
取っ手を手で握ることができる形状にした請求項１、２、３、４または５記載の除湿機。
【請求項７】
開口部と排水用開口部の場所が同じであることを特徴とした請求項１、２、３、４、５または６記載の除湿機。
【請求項８】
排水用開口部が管になっていることを特徴とした請求項１、２、３、４、５、６または７記載の除湿機。
【請求項９】
排水用開口部が蛇腹になっていること特徴とした請求項１、２、３、４、５、６または７記載の除湿機。
【請求項１０】
排水用開口部の管が伸び縮みすることを特徴とした請求項８または９記載の除湿機。
【請求項１１】
排水用開口部の管が着脱できることを特徴とした請求８、９または１０記載の除湿機。
【請求項１２】
貯水タンクの取っ手側の底が深くなっていることを特徴とした請求項１、２、３、４、５、６、７、８、９、１０または１１記載の除湿機。
【発明の詳細な説明】
【技術分野】
【０００１】
本発明は、家庭で使用される除湿機の運転により除湿された水をためる貯水タンクの形状を工夫することで、貯水タンクにたまった水を利用しやすくする装置に関する。
【背景技術】
【０００２】
近年、環境問題の意識が高まっており、電力の省エネだけでなく節水など水の使用についても感心が高まりつつある。しかし、一般家庭で使用される除湿機では、除湿された水をためる貯水タンクがたまった水を利用しやすい形になっておらず、たまった水を捨ててしまう場合が多い。しかし、除湿機の除湿された水がたまる貯水タンクを水が利用しやすい形にすることで、人々に高まりつつある節水の意識に働きかけて植木や加湿機などの水に利用してもらうことが有効である。
【０００３】
しかしながら、排水口の位置や構造を考慮して点検や清掃を容易に行うことができる貯水タンクは開発されているが、除湿機の運転により除湿されてたまった水が利用しやすい形状となっている貯水タンクを特徴とした除湿機は開発されていない（例えば、特許文献１参照）。
【０００４】
以下、その貯水タンクについて説明する。
【０００５】
貯水タンクの天面に取り外しが容易な排水用の蓋を設け、この蓋の裏面に水位検知用のユニットを設けることにより、貯水タンクにたまった水を排水するときに水位検知用のユニットを簡単に点検でき、清掃も容易となるような構造となっているものである。
【特許文献１】特開２００１−１８２９６６号公報
【発明の開示】
【発明が解決しようとする課題】
【０００６】
このような従来の方法では、除湿機により除湿された水は排水することを前提としており、貯水タンクにたまった水を利用するときには、利用する場所以外に排水時の水がこぼれないように使用者の工夫が必要となるため、貯水タンクにたまった水は捨てられてしまうことが多い。
【０００７】
本発明は、このような従来の課題を解決するものであり、除湿された水を使用しやすくすることで、人々の節水の意識を高めて除湿された水を利用してもらう機会を多くする除湿機を提供することができる。
【課題を解決するための手段】
【０００８】
本発明は上記目的を達成するために、除湿された水分をためて利用することを前提とした貯水タンクを備え、前記貯水タンクは除湿機の運転により除湿された水分を取り込むための開口部と除湿された水分を排水するための排水用開口部と手で持つための取っ手とを備えた構成としたものである。
【０００９】
この手段により、貯水タンクにたまった水を利用しやすい貯水タンクを備えた除湿機が得られる。
【００１０】
さらに、取っ手が垂直になっていることを特徴としたものである。
【００１１】
この手段により、たまった水を利用するときに持ちやすい貯水タンクを備えた除湿機が得られる。
【００１２】
さらに、取っ手が斜めに傾いていることを特徴としたものである。
【００１３】
この手段により、たまった水を利用するときに持ちやすい貯水タンクを備えた除湿機が得られる。
【００１４】
さらに、取っ手が回転することを特徴としたものである。
【００１５】
この手段により、持ちやすい取っ手の向きに使用者が調整することのできる貯水タンクを備えた除湿機が得られる。
【００１６】
さらに、取っ手が着脱できることを特徴としたものである。
【００１７】
この手段により、取っ手の部分を設けるために貯水タンクの側面を窪ませて容量を減らす必要のない貯水タンクを備えた除湿機が得られる。
【００１８】
さらに、取っ手を手で握ることができる形状にしたものである。
【００１９】
この手段により、たまった水を利用するときに力が入りやすく持ちやすい貯水タンクを備えた除湿機が得られる。
【００２０】
さらに、開口部と排水用開口部の場所が同じであることを特徴としたものである。
【００２１】
この手段により、水を利用するときに水が出入りする場所が１箇所となり、目的外の場所に水をこぼすことのない貯水タンクを備えた除湿機が得られる。
【００２２】
さらに、排水用開口部が管になっていることを特徴としたものである。
【００２３】
この手段により、たまった水を利用したい場所へ簡単に導くことができる貯水タンクを備えた除湿機が得られる。
【００２４】
さらに、排水用開口部が蛇腹になっていること特徴としたものである。
【００２５】
この手段により、たまった水を利用したい場所へ障害物などを避けて曲線状に簡単に導くことができる貯水タンクを備えた除湿機が得られる。
【００２６】
さらに、排水用開口部の管が伸び縮みすることを特徴としたものである。
【００２７】
この手段により、たまった水を使用しないときは管を収納することができる貯水タンクを備えた除湿機が得られる。
【００２８】
さらに、排水用開口部の管が着脱できることを特徴としたものである。
【００２９】
この手段により、水の利用目的に合わせて排水時の管を選択することができる貯水タンクを備えた除湿機が得られる。
【００３０】
さらに、貯水タンクの取っ手側の底が深くなっていることを特徴としたものである。
【００３１】
この手段により、水がたまった貯水タンクの重心が取っ手側に近くなり、持ったときに安定する貯水タンクを備えた除湿機が得られる。
【発明の効果】
【００３２】
本発明によれば、貯水タンクにたまった水を利用しやすい貯水タンクを備えた除湿機が得られる。
【００３３】
また、たまった水を利用するときに持ちやすい貯水タンクを備えた除湿機が得られる。
【００３４】
また、持ちやすい取っ手の向きに使用者が調整することのできる貯水タンクを備えた除湿機が得られる。
【００３５】
また、取っ手の部分を設けるために貯水タンクの側面を窪ませて容量を減らす必要のない貯水タンクを備えた除湿機が得られる。
【００３６】
また、たまった水を利用するときに力が入りやすく持ちやすい貯水タンクを備えた除湿機が得られる。
【００３７】
また、水を利用するときに水が出入りする場所が１箇所となり、目的外の場所に水をこぼすことのない貯水タンクを備えた除湿機が得られる。
【００３８】
また、たまった水を利用したい場所へ簡単に導くことができる貯水タンクを備えた除湿機が得られる。
【００３９】
また、たまった水を利用したい場所へ障害物などを避けて曲線状に簡単に導くことができる貯水タンクを備えた除湿機が得られる。
【００４０】
また、たまった水を使用しないときは管を収納することができる貯水タンクを備えた除湿機が得られる。
【００４１】
また、水の利用目的に合わせて排水時の管を選択することができる貯水タンクを備えた除湿機が得られる。
【００４２】
また、水がたまった貯水タンクの重心が取っ手側に近くなり、持ったときに安定する貯水タンクを備えた除湿機を得ることができる。
【発明を実施するための最良の形態】
【００４３】
本発明の請求項１記載の発明は、除湿された水分をためて利用することを前提とした貯水タンクを備え、前記貯水タンクは除湿機の運転により除湿された水分を取り込むための開口部と除湿された水分を排水するための排水用開口部と手で持つための取っ手とを構成とし、貯水タンクにたまった水を利用しやすいという作用を有する。
【００４４】
また、取っ手が垂直になっていることを特徴とした構成とし、貯水タンクにたまった水を利用するときに持ちやすいという作用を有する。
【００４５】
また、取っ手が斜めに傾いていることを特徴とした構成とし、貯水タンクにたまった水を利用するときに持ちやすいという作用を有する。
【００４６】
また、取っ手が回転することを特徴とした構成とし、貯水タンクの取っ手を持ちやすい向きに使用者が調整することができるという作用を有する。
【００４７】
また、取っ手が着脱できることを特徴とした構成とし、取っ手の部分を設けるために貯水タンクの側面を窪ませて容量を減らす必要がないという作用を有する。
【００４８】
また、取っ手を手で握ることができる形状にした構成とし、貯水タンクにたまった水を利用するときに力が入りやすく持ちやすいという作用を有する。
【００４９】
また、開口部と排水用開口部の場所が同じであることを特徴とした構成とし、貯水タンクの水を利用するときに水が出入りする場所が１箇所となり、目的外の場所に水をこぼすことのないという作用を有する。
【００５０】
また、排水用開口部が管になっていることを特徴とした構成とし、貯水タンクにたまった水を利用したい場所へ簡単に導くことができるという作用を有する。
【００５１】
また、排水用開口部が蛇腹になっていること特徴とした構成とし、貯水タンクにたまった水を利用したい場所へ障害物などを避けて曲線状に簡単に導くことができるという作用を有する。
【００５２】
また、排水用開口部の管が伸び縮みすることを特徴とした構成とし、貯水タンクにたまった水を使用しないときは管を収納することができるという作用を有する。
【００５３】
また、排水用開口部の管が着脱できることを特徴とした構成とし、貯水タンクの水の利用目的に合わせて排水時の管を選択することができるという作用を有する。
【００５４】
また、貯水タンクの取っ手側の底が深くなっていることを特徴とした構成とし、水がたまった貯水タンクの重心が取っ手側に近くなり、貯水タンクを持ったときに安定するという作用を有する。
【００５５】
以下、本発明の実施の形態について図面を参照しながら説明する。
【００５６】
（実施の形態１）
図１に示すように、本発明の実施の形態１の除湿機は、貯水タンク１に除湿機の運転により除湿された水が回収される開口部２と貯水タンク１に溜まった水を排水するための排水用開口部３と貯水タンク１を持つための取っ手４を備え、貯水タンク１の取っ手４側の底が深くなる形状としたものである。また、図２に示すように、取っ手４は手で握ることができる形状となっており、取っ手４を固定板５の固定穴６を通して貯水タンク１の方向、すなわち図２の矢印方向に押さえつけ、貯水タンク１のボス７と固定板５のボス穴８を羽目殺しにし、図３のように固定して任意の方向に回転する構造としている。また、図４に示すように、排水用開口部３は、水を通すための管９と除湿機に収納する際に押し込んで所定の位置で止めるための上ストッパー１０とを備え、管９は内側がねじとなっている上ストッパー１０を固定するためのネジ部１１と排水する際に引き出したときの抜けを防止する下ストッパー１２と水漏れを防止するパッキン１３とを備えている。また、貯水タンク１には管９を通す管用の穴１４と管９を引き出したときにパッキン１３が押し込まれて管９を固定するためのパッキン用溝１５を備えている。排水用開口部３の組み付けは、上ストッパー１０を外した状態で貯水タンク１の内側から管用の穴１４に管９通し、上ストッパー１０をネジ部１１の一番深い所までねじ込んで固定する。
【００５７】
上記のように構成した除湿機の貯水タンク１について、図１と図４を参照しながら説明する。
【００５８】
除湿機の運転により除湿された水分を開口部２から回収して貯水タンク１に水がたまっていき排水が必要になると、取っ手４を掴んで貯水タンク１を持つことになる。このとき、取っ手４は手で握ることができる形状となっており、さらに取っ手４は使用者の好みの方向に回転できる構造となっており、使用者の最も持ちやすい向きに調整することができるため、力が入りやすくかつ持ちやすくなる。また、貯水タンク１を取っ手４持って持ち上げたときには、貯水タンク１の取っ手４側の底が取っ手４の反対側の底より深くなっているため、貯水タンク１にたまった水の重心が取っ手４の側に寄るため、貯水タンク１を持ったときに手首などに余分な力がかからず安定して持つことができる。そして、貯水タンク１にたまった水を利用したい場所に持って行き、押し込んであった管９をパッキン１３がパッキン用溝１５に食い込むまで引き出し固定して、水がこぼれないようにしてから排水する。このとき、排水用開口部３は管になっているため水をこぼさず利用したい場所に簡単に注ぐことができる。また、貯水タンク１にたまった水を排水し排水用開口部３が必要なくなれば、押し込んで除湿機に収納することができる。この排水用開口部３の伸縮を利用して、水を回収するときは排水用開口部３を縮めておき、排水するときは排水用開口部３を伸ばす方法で開口部２と排水用開口部３を共用し、貯水タンク１への水の経路をひとつにすることで、排水時に水をこぼすことがなくなる。上記に示すように、持ちやすくたまった水を利用しやすい除湿機の貯水タンクが得られ、捨てられる可能性の高い排水を使用する可能性を高くすることができる。
【００５９】
ここでは、取っ手４を固定するのに２箇所のボス７とボス穴８による羽目殺しで固定したが、取っ手４が回転できるように固定する構造であれば、ボス７とボス穴８の個数や場所や取っ手４の固定方法には限定されず、その作用効果に差異は生じない。
【００６０】
ここでは、取っ手４は任意の方向に回転する構造で説明したが、あらかじめ垂直もしくは斜めに傾けた形状で固定した場合でも持ちやすくする構造であれば、その形状には限定されず、その作用効果に差異は生じない。
【００６１】
また、図には示していないが、取っ手４が除湿機の表面から出ないようにしようとすると、排水タンク１の側面を窪ませて取っ手４を設ける必要がある。しかし、取っ手４が取れる構造にした場合は、排水タンク１の側面を窪ませる必要がなくなるため、貯水タンクの容量を減らすことなく取っ手４を設けることができる。
【００６２】
ここでは、排水用開口部３は押し込んだり引き出したりする構造で説明したが、蛇腹などの伸縮できる構造であれば、その形状には限定されず、その作用効果に差異は生じない。
【００６３】
また、ここでは排水用開口部３を管の形状で説明したが、排水用開口部３に蛇腹などの曲線を描くことができる管を利用すれば、排水時に障害物を避けて曲線で水を導くことが可能である。
【００６４】
また、図には示していないが、排水用開口部３が着脱可能とした構造にすると、管や蛇腹など使用者の使い道に合わせて排水方法を選択することが可能となる。
【産業上の利用可能性】
【００６５】
本発明の除湿機の貯水タンクは、水を利用する一般家電用の電化製品等の貯水タンク等に適用できる。
【図面の簡単な説明】
【００６６】
【図１】本発明の実施の形態１の除湿機の貯水タンクの構成図
【図２】同取っ手の固定方法を示す図
【図３】同取っ手の固定状態を示す図
【図４】同排水用開口部の構成図
【符号の説明】
【００６７】
１    貯水タンク
２    開口部
３    排水用開口部
４    取っ手
５    固定板
６    固定穴
７    ボス
８    ボス穴
９    管
１０  上ストッパー
１１  ネジ部
１２  下ストッパー
１３  パッキン
１４  管用の穴
１５  パッキン用溝
【図１】
2007203137.tif 000003
【図２】
2007203137.tif 000004
【図３】
2007203137.tif 000005
【図４】
2007203137.tif 000006